(57)【要約】      （修正有）【課題】部品点数の少数化及び構造を簡素化するとともに複数のユニットの同時引き出しを防止する装置を提供する。【解決手段】各ユニット２ａ・２ｂ・２ｃにそれぞれ対向するプレート３ａ・３ｂ・３ｃをキャビネット本体１と該ユニットの隙間を利用して、側面又は後面或いは底面に配置する。そのプレート面に各ユニットに付随する作動金具４ａ・４ｂ・４ｃで該プレートが作動する傾斜溝５ａ、及び他のユニットの作動金具の移動を阻止するＬ字形溝６ａを形成する。それらプレートを重ね組み合わせることにより該作動金具と２種類の溝が相互に作用して複数ユニットの同時引き出しを防止し、重心移動によるキャビネット本体の転倒防止を図る。形状が異なる２種類の溝の重ね組み合わせのみが主たる構造のため可動部や部品点数を極端に少なくできる。【選択図】図１
2012165992.tif 000002
【特許請求の範囲】
【請求項１】
ユニットの出し入れに於いて、ユニットに取り付けた作動金具によってプレートを作動させる傾斜溝、及び他のユニットに取り付けた作動金具の移動を阻止するＬ字形溝をプレート上に形成し、このプレートを対向するユニットの数量毎に構成し、２種類の溝を重ね組み合わせるようにプレートを配置することで、傾斜溝に対向するユニットを引き出したとき、作動金具によって傾斜溝を介してプレートを作動させ、同時にそのプレート上に形成してあるＬ字形溝のロック用溝により他のユニットに付随する作動金具の移動を阻止することで複数ユニットの同時引き出しを阻止する働きを有する同時引出し防止装置。
【請求項２】
各ユニットに対向するプレートを重ね組み合わせ、且つ作動金具がプレートの枚数分全てに架かり、２種類の溝内を作動金具が同時にスライドするように構成することで、傾斜溝の傾斜部とＬ字形溝の水平部がクロスしてできる隙間の作用で、複数の作動金具が同時に移動できないように構成されたことを特徴とする請求項１記載の複数ユニットの同時引き出し防止装置。
【発明の詳細な説明】
【技術分野】
【０００１】  本発明は、複数ユニットを有するキャビネットに於いて同時引き出しを防止する装置に関する。
【背景技術】
【０００２】  従来の複数のユニットを有するキャビネットに於いて、夫々のユニットの出し入れのとき、各ユニット間に相互の関連性が無く複数のユニットが同時に引き出されることは必然的に起こりえることであり、複数のユニットが同時に引き出されることでユニット内の収納物の重量によって、キャビネット全体の重心が前面に移動して転倒する危険があった。
【先行技術文献】
【特許文献】
【０００３】
【特許文献１】  特開平６−１２１７１７号  公報
【０００４】
【特許文献２】  特開平１０−１７９２８９号  公報
【０００５】
【特許文献３】  特開２００３−１４４２５４号  公報
【０００６】
【特許文献４】  特開２００８−４７０９号  公報
【発明の概要】
【発明が解決しようとする課題】
【０００７】  同時引き出し防止や転倒防止技術について様々な先行技術によって試みがなされている。しかしながら、広く製品として市場に普及していない。何故なら部品点数、及び構成部品形状の複雑さによるコスト高で、需要ニーズがあるにもかかわらず生産者に二の足を踏ませる原因と思われる。【０００８】  本発明は以上の欠点を解決すべく、部品点数を最小限に、及び加工形状をシンプルにすることで低コストでの加工製品を提供することを目的とし、又製品の新製作時から当装置を設置することは元より、既存の製品にも追加設置が可能であるようにすることを課題とする。
【課題を解決するための手段】
【０００９】  複数ユニット夫々に対向するプレート上に、ユニットに設置した作動金具によってプレートを作動させる傾斜溝、及び他のユニットに設置した作動金具の移動を阻止するＬ字形溝を形成する。それら前記載のプレートを重ね組み合わせることで、複数ユニットの同時引き出しを防止するように構成する。
【発明の効果】
【００１０】  複数ユニットを有するキャビネットに於いて、ユニットの出し入れを制御するプレート上に形状が異なる溝の組み合わせにより、１つのユニットを引き出した時点で他のユニットは溝の形状の効果で引き出されることを阻止される。【００１１】  従って１ユニット分の重量以上の重心移動はおこらず、夫々のユニット内に重量物が収納されていてもキャビネット全体の大幅な重心移動はおこらず転倒を防止することができる。【００１２】  構造上スプリング・回転物など可動部が少なく、部品点数が他の先行技術に比べて極端に少なく、製作コストを大幅に低減可能である。【００１３】  本装置は、キャビネットの新規製作時から設置することはもちろん、既存の製品にもキャビネット本体とユニットの隙間を利用して容易に設置可能である。【００１４】  本発明に於いて縦列の複数ユニットのキャビネットはもちろん、横列の複数ユニットのキャビネットにも対応可能である。【００１５】  本発明に於いて作動面を側面だけでなく、ユニットの配置形態、及びキャビネット内の隙間等によって後面、あるいは底面への設置も可能である。
【図面の簡単な説明】
【００１６】
【図１】  複数ユニットが縦列に配置されたキャビネットで作動面を側面として装置を取り付けた場合の側面斜視図である。
【図２】  複数ユニットが縦列に配置されたキャビネットで作動面を後面として装置を取り付けた場合の後面斜視参考図である。
【図３】  全ユニットをキャビネット内に収納したときの作動金具及びプレートの位置関係の状態を現す。
【図４】  ユニット２ａを引き出したときの作動金具及び傾斜溝・Ｌ字形溝を含むプレートの位置関係の状態を現す。
【図５】  同様に、ユニット２ｂを引き出したときの状態を現す。
【図６】  同様に、ユニット２ｃを引き出したときの状態を現す。
【図７】  ユニットがキャビネット本体に収納されたときのプレートに形成された傾斜溝５ａ・５ｂ・５ｃとＬ字形溝６ａ・６ｂ・６ｃの重なりの状態、及びそれによってできる隙間ｆを現す。
【図８】  複数ユニットが横列に配置されたキャビネットで作動面を底面として装置を取り付けた場合の底面斜視参考図である。
【発明を実施するための形態】
【００１７】  本発明を、添付図面によって説明する。
図１は複数ユニットが縦列に配置されたキャビネットで装置作動面を側面とした場合である。
【００１８】  作動金具（４ａ・４ｂ・４ｃ）は夫々のユニット側面のプレートの溝に作用する位置に設置し、ユニットと共に移動する。
【００１９】  作動金具（４ａ・４ｂ・４ｃ）は配置されたプレートの数量全数に対向できるものである。
【００２０】  プレート（３ａ・３ｂ・３ｃ）の夫々の面上には作動金具（４ａ・４ｂ・４ｃ）によってプレートを作動させる傾斜溝（５ａ・５ｂ・５ｃ）とその他のユニットの移動阻止用Ｌ字形溝（６ａ・６ｂ・６ｃ）が形成されている。
【００２１】  プレートの設置は、ここでは上下方向に作動するように取り付ける。取り付け方法は従来のあらゆる技術により容易に設置可能である為ここでの説明は省く。
【実施形態の効果】
【００２２】  ここでは３段の場合のユニットで説明する。図３はユニットがキャビネット本体内に全て収納された場合でプレート（３ａ・３ｂ・３ｃ）及び作動金具（４ａ・４ｂ・４ｃ）の位置関係を示す。
【００２３】  図４に於いてはユニット２ａを引き出した場合、作動金具４ａは、図７に示すＬ字形溝のｄ部に沿って移動すると共に傾斜溝とに挟まれた隙間ｆ部を押し広げようとする圧力でプレート３ａを押し下げることになり、同時に押し下げられたプレート上に設けたＬ字形溝のロック用溝ｅ部によって他の作動金具４ｂ・４ｃに被さり移動を阻止することでユニット２ｂ・２ｃの同時引き出しを阻止する。
【００２４】  図５に於いては、ユニット２ｂを引き出した場合である。前記述と同じ様に作動金具４ｂが傾斜溝５ｂを作動してプレート３ｂを押し下げＬ字形溝６ｂのロック用溝ｅ部によって作動金具４ａ・４ｃの移動を阻止する。
【００２５】  図６に於いては、ユニット２ｃを引き出した場合である。前記述と同じ様に作動金具４ｃが傾斜溝５ｃを作動してプレート３ｃを押し下げ、Ｌ字形溝６ｃのロック用溝ｅ部によって作動金具４ａ・４ｂの移動を阻止する。
【他の実施形態】
【００２６】  図２の実施形態は、複数ユニットが縦列に配置されたキャビネットで装置作動面を後面に設けた場合の参考図である。
【００２７】  図８の実施形態は、複数ユニットが横列に配置されたキャビネットで装置作動面を底面に設けた場合の参考図である。何れもユニット・作動金具・プレート・傾斜溝・Ｌ字形溝の作動関係は同じである。
【産業上の利用可能性】
【００２８】  航空機・列車などに搭載されて移動中に使用する厨房設備等の用途にも適応でき、機体・車体の揺れによる複数ユニットの飛び出しを防止できる。
【符号の説明】
【００２９】１    キャビネット本体
２ａ・２ｂ・２ｃ  ユニット
３ａ  プレート（ユニット２ａに対向）
３ｂ  プレート（ユニット２ｂに対向）
３ｃ  プレート（ユニット２ｃに対向）
４ａ・４ｂ・４ｃ  作動金具（傾斜溝作動用）
５ａ・５ｂ・５ｃ  傾斜溝（プレート作動用）
６ａ・６ｂ・６ｃ  Ｌ字形溝
７    プレート作動方向
ｄ    Ｌ字形溝６ａ・６ｂ・６ｃの水平部
ｅ    Ｌ字形溝６ａ・６ｂ・６ｃの垂直部（作動金具ロック用）
ｆ    傾斜溝５ａ・５ｂ・５ｃとＬ字形溝６ａ・６ｂ・６ｃとでできる隙間
【図１】
2012165992.tif 000003
【図２】
2012165992.tif 000004
【図３】
2012165992.tif 000005
【図４】
2012165992.tif 000006
【図５】
2012165992.tif 000007
【図６】
2012165992.tif 000008
【図７】
2012165992.tif 000009
【図８】
2012165992.tif 000010